(57)【要約】      （修正有）【課題】電子キャッシュ機能を具備した携帯端末を取り出さずに、当該携帯端末の電子キャッシュを用いて支払いにかかわる電子決済処理を行うことが可能な中継アダプタを提供する。【解決手段】電子決済装置３と携帯端末２との間で、電子決済に係るデータを中継する中継アダプタ１は、電子キャッシュを記憶する非接触ＩＣメモリ１０２と、電子キャッシュの読取・書込機能と、を有する。携帯端末２の非接触ＩＣメモリに保存された電子キャッシュを読取り、読取った電子キャッシュの額以下の額の電子キャッシュを自アダプタの非接触ＩＣメモリ１０２に書込み、携帯端末２の電子キャッシュから自アダプタの非接触ＩＣメモリ１０２に書込んだ電子キャッシュを減じた額の電子キャッシュを携帯端末の非接触ＩＣメモリに書き込む。【選択図】図１
2016170653.tif 000002
【特許請求の範囲】
【請求項１】
非接触ＩＣメモリを内蔵する所定の携帯端末をタッチすると電子決済に係る処理を実行する電子決済装置と前記携帯端末との間で、電子決済に係るデータを中継する中継アダプタであって、
電子決済に係るデータを記憶すると共に、前記電子決済装置に非接触でデータを読取らせる、または前記電子決済装置に非接触でデータを書込ませる非接触ＩＣメモリと、前記携帯端末から非接触でデータを読取る非接触データ読取手段と、前記携帯端末に非接触でデータを書込む非接触データ書込手段と、を有し、
自アダプタを前記携帯端末にタッチした場合に、前記携帯端末から電子キャッシュを含む電子決済に係るデータを非接触で読取り、前記読取った電子キャッシュの額以下の額の電子キャッシュを含む電子決済に係るデータを前記非接触ＩＣメモリに記憶し、前記携帯端末から読取った電子キャッシュの額から前記非接触ＩＣメモリに記憶した電子キャッシュの額を減じた額の電子キャッシュを含む電子決済に係るデータを前記携帯端末に書込み、
自アダプタを前記電子決済装置にタッチした場合に、前記電子決済装置に対して、前記非接触ＩＣメモリに記憶している電子決済に係るデータを読込ませ、前記読込ませたデータを処理した電子決済に係るデータを前記非接触ＩＣメモリに書込ませることを特徴とする電子決済データ中継アダプタ。
【請求項２】
電子決済に係る所定の処理を実行する電子決済装置にタッチするタッチユニットと、非接触ＩＣメモリを内蔵する所定の携帯端末に装着する端末装着ユニットと、から構成され、前記電子決済装置と前記携帯端末との間で、電子決済に係るデータを中継する中継アダプタであって、
前記端末装着ユニットは、前記携帯端末から非接触でデータを読取る非接触データ読取手段と、前記携帯端末に非接触でデータを書込む非接触データ書込手段と、所定の近距離無線通信方式により前記タッチユニットとの間で電子決済に係るデータを送受信する電子決済データ送受信手段と、を有し、自ユニットが前記携帯端末に装着された状態で、前記携帯端末から電子決済に係るデータを読取り、前記読取ったデータを前記タッチユニットへ前記近距離無線通信方式により送信し、前記送信したデータを処理した処理データを前記タッチユニットから前記近距離無線通信方式により受信した場合に、前記受信した処理データを前記携帯端末に書込み、
前記タッチユニットは、電子決済に係るデータを記憶すると共に、前記電子決済装置に非接触でデータを読取らせる、または前記電子決済装置に非接触でデータを書込ませる非接触ＩＣメモリと、前記近距離無線通信方式により前記端末装着ユニットとの間で電子決済に係るデータを送受信する電子決済データ通信手段と、を有し、前記電子決済に係るデータを前記端末装着ユニットから前記近距離無線通信方式により受信した場合に、前記受信したデータを前記非接触ＩＣメモリに書込み、自タッチユニットを前記電子決済装置にタッチし、前記電子決済装置が前記データを読取り、前記データを処理した処理データを前記非接触ＩＣメモリに書込んだ場合に、前記書込まれた処理データを前記近距離無線通信方式により前記端末装着ユニットへ送信することを特徴とする電子決済データ中継アダプタ。 
【発明の詳細な説明】
【技術分野】
【０００１】
本発明は、電子決済に係る機能を具備した携帯端末と、電子決済端末との間で、電子決済に係るデータを中継する中継アダプタに関する。
【背景技術】
【０００２】
近年、電子キャッシュ機能を具備した携帯端末（例えば、スマートホンや携帯電話機）が普及しつつある。この携帯端末のユーザは、店舗のレジや駅の改札口などに設置された電子決済を受け付けるタグリーダ機能付きのレジ端末，またはＰＯＳ（Ｐｏｉｎｔ−Ｏｆ−Ｓａｌｅ）端末（以下、レジ端末、ＰＯＳ端末を総称して電子決済装置と呼称）にタッチすることで電子キャッシュによる支払処理（「移転」とも言う）が行われるため、現金の授受が無く支払処理が簡単で便利である。この技術は、携帯端末に予め電子キャッシュによる支払処理を行うための電子決済情報を記憶させておき、ユーザが電子決済装置にタッチする毎に、携帯端末から電子決済装置へ電子決済情報が送信され、電子決済情報を受信した電子決済装置が、電子決済サーバにアクセスして、電子決済の電子決済処理（以下、電子決済処理（移転）と呼称）を行うものである（例えば、特許文献１）。
【０００３】
しかしながら、ユーザが、携帯端末を手に取ることができない状態で、改札口の電子決済装置にユーザの携帯端末をタッチする際に、携帯端末の取り出しに手間取ることがある。
【先行技術文献】
【特許文献】
【０００４】
【特許文献１】特開２０１４−１６７７５３号公報
【発明の概要】
【発明が解決しようとする課題】
【０００５】
そこで、本発明の課題は、ユーザが、電子キャッシュ機能を具備した携帯端末を取り出さずに、当該携帯端末の電子キャッシュを用いて支払いに係る電子決済処理を行うことが可能な中継アダプタを提供することにある。
【課題を解決するための手段】
【０００６】
上記課題を解決するために、第１の発明は、非接触ＩＣメモリを内蔵する所定の携帯端末をタッチすると電子決済に係る処理を実行する電子決済装置と前記携帯端末との間で、電子決済に係るデータを中継する中継アダプタであって、電子決済に係るデータを記憶すると共に、前記電子決済装置に非接触でデータを読取らせる、または前記電子決済装置に非接触でデータを書込ませる非接触ＩＣメモリと、前記携帯端末から非接触でデータを読取る非接触データ読取手段と、前記携帯端末に非接触でデータを書込む非接触データ書込手段と、を有し、自アダプタを前記携帯端末にタッチした場合に、前記携帯端末から電子キャッシュを含む電子決済に係るデータを非接触で読取り、前記読取った電子キャッシュの額以下の額の電子キャッシュを含む電子決済に係るデータを前記非接触ＩＣメモリに記憶し、前記携帯端末から読取った電子キャッシュの額から前記非接触ＩＣメモリに記憶した電子キャッシュの額を減じた額の電子キャッシュを含む電子決済に係るデータを前記携帯端末に書込み、自アダプタを前記電子決済装置にタッチした場合に、前記電子決済装置に対して、前記非接触ＩＣメモリに記憶している電子決済に係るデータを読込ませ、前記読込ませたデータを処理した電子決済に係るデータを前記非接触ＩＣメモリに書込ませることを特徴とする。
【０００７】
また、第２の発明は、電子決済に係る所定の処理を実行する電子決済装置にタッチするタッチユニットと、非接触ＩＣメモリを内蔵する所定の携帯端末に装着する端末装着ユニットと、から構成され、前記電子決済装置と前記携帯端末との間で、電子決済に係るデータを中継する中継アダプタであって、前記端末装着ユニットは、前記携帯端末から非接触でデータを読取る非接触データ読取手段と、前記携帯端末に非接触でデータを書込む非接触データ書込手段と、所定の近距離無線通信方式により前記タッチユニットとの間で電子決済に係るデータを送受信する電子決済データ送受信手段と、を有し、自ユニットが前記携帯端末に装着された状態で、前記携帯端末から電子決済に係るデータを読取り、前記読取ったデータを前記タッチユニットへ前記近距離無線通信方式により送信し、前記送信したデータを処理した処理データを前記タッチユニットから前記近距離無線通信方式により受信した場合に、前記受信した処理データを前記携帯端末に書込み、前記タッチユニットは、電子決済に係るデータを記憶すると共に、前記電子決済装置に非接触でデータを読取らせる、または前記電子決済装置に非接触でデータを書込ませる非接触ＩＣメモリと、前記近距離無線通信方式により前記端末装着ユニットとの間で電子決済に係るデータを送受信する電子決済データ通信手段と、を有し、前記電子決済に係るデータを前記端末装着ユニットから前記近距離無線通信方式により受信した場合に、前記受信したデータを前記非接触ＩＣメモリに書込み、自タッチユニットを前記電子決済装置にタッチし、前記電子決済装置が前記データを読取り、前記データを処理した処理データを前記非接触ＩＣメモリに書込んだ場合に、前記書込まれた処理データを前記近距離無線通信方式により前記端末装着ユニットへ送信することを特徴とする。
【発明の効果】
【０００８】
本発明によれば、中継アダプタは、自中継アダプタを携帯端末にタッチすることで、携帯端末の電子キャッシュの一部を自中継アダプタに移動し、さらに、店舗のレジや駅の改札口の電子決済装置に自中継アダプタをタッチすると、当該移動した電子キャッシュを用いて電子決済処理（移転）する。これにより携帯端末を取り出さずに、かつ携帯端末の電子キャッシュを用いて電子決済処理（移転）を行うことができる。
【０００９】
例えば、携帯端末をカバンにいれたまま、当該携帯端末の電子キャッシュを用いた電子決済処理（移転）ができ、便利である。また、本中継アダプタは、従来、携帯端末と電子決済装置との間で送受信される電子決済情報をそのまま中継するだけなので、一般的な携帯端末に適用できるという効果もある。
【図面の簡単な説明】
【００１０】
【図１】図１は、本発明の第一の実施形態における中継アダプタの機能ブロック図および当該中継アダプタを含む電子決済システムの全体構成図である。
【図２】図２は、本発明の第一の実施形態における中継アダプタが携帯端末にタッチした場合のフローチャート図である。
【図３】図３は、本発明の第二の実施形態における中継アダプタの機能ブロック図および当該中継アダプタを含む電子決済システムの全体構成図である。
【図４】図４（ａ）は、本発明の第二の実施形態における中継アダプタ１Ａが電子決済装置３にタッチした場合のフローチャート図である。図４（ｂ）は、本発明の第二の実施形態における中継アダプタ１Ｂが中継アダプタ１Ａから通知を受けた場合のフローチャート図である。
【発明を実施するための形態】
【実施例１】
【００１１】
以下、本発明の第一の実施形態について、図を用いて説明する。
【００１２】
図１は、本発明の第一の実施形態における中継アダプタ（以下、本アダプタと略すこともある）の機能ブロック図および本アダプタを含む電子決済システムの全体構成図である。
【００１３】
図示するように、本電子決済システムは、中継アダプタ１と、電子決済に係る非接触ＩＣメモリを具備する携帯端末２と、電子決済装置３（例えば、駅に設置されている自動改札機や非接触ＩＣメモリとの入出力機能付きＰＯＳ端末等）と、から構成される。なお、中継アダプタ１は、電池駆動するウェアラブル機器であって、リストバンドやペンダント等の直接体に保持されるものもしくは、当該リストバンドやペンダントに貼り付けられた小型の装置である。
【００１４】
従来の電子決済処理においては、中継アダプタ１は存在せず、予めチャージされている金額（電子キャッシュ）を記憶している携帯端末２を電子決済装置３に直接タッチ（電子的には非接触な数ｍｍ以下の近接）して、電子決済による支払処理が実行され、電子決済後の電子キャッシュ（残額）が携帯端末２に記録される。
【００１５】
これに対して、本実施形態においては、携帯端末２を電子決済装置３に直接タッチするのではなく、まず、中継アダプタ１を携帯端末２にタッチして、携帯端末２にチャージされている電子キャッシュの一部または全てを、中継アダプタ１に移動する。
【００１６】
そして、中継アダプタ１を電子決済装置３にタッチして、移動した電子キャッシュの範囲以内の支払処理を実行し、電子決済後の電子キャッシュを記憶する。
【００１７】
ここで、一般的な非接触ＩＣメモリを具備するＩＣカードによる電子決済処理について駅における利用場面を用いて説明する。
【００１８】
ユーザがＩＣカードを電子決済装置（券売機）に挿入すると、券売機は、ＩＣカードのＩＤ認証を電子決済事業者に問い合わせる。電子決済事業者は、当該ＩＣカードのＩＤ認証を行い、許可されたＩＤの場合に認証結果を券売機に渡し、券売機は、ユーザが入金した現金と同等の金額を電子キャッシュとしてＩＣカードに書込み、書込みに係る電子決済のデータを用いて、電子決済事業者４と入金に係る電子決済処理を行う（以下、電子決済処理（チャージ）と呼称）。また、ユーザがＩＣカードを電子決済装置（改札機）にタッチすると、改札機は、当該ＩＣカードのＩＤ認証を電子決済事業者に問い合わせる。電子決済事業者は、当該ＩＣカードのＩＤ認証を行い、許可されたＩＤの場合に認証結果を改札機に渡し、改札機は、ＩＣカードから利用料分の電子キャッシュを引き落とした電子キャッシュを書込み、書込みに係る電子決済データを用いて、電子決済事業者４と電子決済処理（移転）を行う。
【００１９】
次に、中継アダプタ１の機能ブロックについて説明する。
【００２０】
中継アダプタ１は、非接触ＩＣメモリリーダ／ライタ部１０１と、非接触ＩＣメモリ１０２と、キー入力部１０３と、表示部１０４と、制御部１０５と、電子決済処理依頼部１０６と、から構成される。
【００２１】
非接触ＩＣメモリリーダ／ライタ部１０１は、近距離無線通信（例えば、非接触ＩＣカード等の通信に一般的に用いられるＮＦＣ（Ｎｅａｒ  Ｆｉｅｌｄ  Ｃｏｍｍｕｎｉｃａｔｉｏｎ）：以下、近距離無線通信方式Ａと呼称）を用い、携帯端末２における電子キャッシュ（以下、携帯端末電子キャッシュと呼称）を含む電子決済に係るデータを読取る。さらに、非接触ＩＣメモリリーダ／ライタ部１０１は、制御部１０５からの渡された携帯端末電子キャッシュを携帯端末２に書込み、電子決済処理依頼部１０６からの渡された電子決済に係るデータを携帯端末２に渡す。
【００２２】
非接触ＩＣメモリ１０２は、電子決済に係るデータを記憶するＩＣメモリであり、制御部１０５または電子決済装置３の要求に応じて、記憶している電子決済に係るデータを渡す、または、渡された電子決済に係るデータを書込ませる。
【００２３】
尚、この電子決済に係るデータには、該非接触ＩＣメモリを識別するためのユニークなＩＤ情報（以下、非接触ＩＣメモリＩＤと呼称）と、電子決済処理時に使用するための電子キャッシュ（以下、アダプタ電子キャッシュと呼称）と、が記憶される。また、非接触ＩＣメモリ１０２の“非接触ＩＣメモリＩＤ”は、読み取ることはできるが、書込むことはできない。
【００２４】
キー入力部１０３は、キーまたはタッチパネル入力等の入力インターフェースである。
【００２５】
表示部１０４は、ＬＣＤまたはタッチパネル出力等の出力インターフェースである。
【００２６】
制御部１０５は、携帯端末２の非接触ＩＣメモリの検出を監視しており、検出すると、携帯端末２の非接触ＩＣメモリに記憶された携帯端末電子キャッシュを読取り、非接触ＩＣメモリ１０２に記憶されたアダプタ電子キャッシュを読取る。さらに、制御部１０５は、所定の処理により算出された携帯端末電子キャッシュを非接触ＩＣメモリリーダ／ライタ部１０１に渡し、所定の処理により算出されたアダプタ電子キャッシュを非接触ＩＣメモリ１０２に書き込む。そして、前記携帯端末電子キャッシュの電子決済に係るデータと前記アダプタ電子キャッシュの電子決済に係るデータを電子決済処理依頼部１０６に渡す。
【００２７】
電子決済処理依頼部１０６は、制御部１０５から渡されたアダプタ電子キャッシュに係る電子決済に係るデータと携帯端末電子キャッシュに係る電子決済に係るデータを電子決済処理依頼として、非接触ＩＣメモリリーダ／ライタ部１０１を介して依頼する。
【００２８】
携帯端末２は、中継アダプタ１と同等の非接触ＩＣメモリを具備し、中継アダプタ１からの要求に応じて、携帯端末電子キャッシュを渡すまたは、電子決済に係るデータを書き込ませる。また、携帯端末２は、中継アダプタ１の非接触ＩＣメモリリーダ／ライタ部１０１によって、後述する電子決済処理依頼を受信した場合、ネットワークを介して、中継アダプタ１の代わりに、電子決済事業者４と電子決済処理を行う。尚、ここで電子決済処理とは、アダプタ電子キャッシュを含む電子決済に係るデータを用いた電子決済事業者４との電子決済処理（チャージ）と、携帯端末電子キャッシュを含む電子決済に係るデータを用いた電子決済事業者４との電子決済処理（移転）の両方である。
【００２９】
尚、電子決済事業者４が、電子決済処理（チャージ）と電子決済処理（移転）以外に、所定の非接触ＩＣメモリから別の非接触ＩＣメモリに電子キャッシュを移管する機能を具備するならば、電子決済処理（チャージ）と電子決済処理（移転）の両方を行わなくてもよい。
【００３０】
さらに、携帯端末２が、予め電子決済処理を行うＰＯＳ端末のアドレス情報（メールアドレス他）を記憶しておき、中継アダプタ１から電子決済処理依頼を渡されると、当該ＰＯＳ端末のアドレス情報宛に電子決済処理依頼を中継するようにしてもよい。
【００３１】
電子決済装置３は、ユーザにより、中継アダプタ１がタッチされた場合に、中継アダプタ１における非接触ＩＣメモリ１０２に記憶されたアダプタ電子キャッシュの読取りと書込みを行い、図示していないが電子決済事業者４に接続し、前記アダプタ電子キャッシュを含む電子決済に係るデータを用いて電子決済処理（移転）を行う。
【００３２】
次に、フローチャートを用いて中継アダプタ１の具体的な処理について説明する。
【００３３】
図２は、本発明の第一の実施形態における中継アダプタ１が携帯端末２にタッチした場合のフローチャート図である。また、本フローは、中継アダプタ１の電源が投入された状態から開始する。
【００３４】
中継アダプタ１の電源が投入されると、中継アダプタ１は、キー入力部１０３が非接触ＩＣメモリへの入金額を設定するための入金設定操作を検出する（Ｓ２０１）、または、ユーザによって中継アダプタ１を携帯端末２にタッチされる（Ｓ２０４）のいずれかの状態になるのを待つ。
【００３５】
入金設定操作を検出すると（Ｓ２０１、Ｙｅｓ）、制御部１０５は、表示部１０４に「いくら入金しますか？」等の入金画面を表示させ（Ｓ２０２）、ユーザから金額の入力を受付ける。ユーザから金額の入力を受付けると、制御部１０５は、入力された金額を入金額として一時記憶し（Ｓ２０３）、ステップ２０４へ移行する。
【００３６】
ここで、入金額が入力されない場合は、予め登録されたデフォルト額（例えば２,０００円）が入金額として予め設定されているものとする。
【００３７】
中継アダプタ１が携帯端末２にタッチされると（Ｓ２０４、Ｙｅｓ）、制御部１０５は、非接触ＩＣメモリリーダ／ライタ部１０１から携帯端末２の携帯端末電子キャッシュを読取り（Ｓ２０５）、携帯端末電子キャッシュとＳ２０３において一時記憶した入金額からチャージ処理可能か否か（入金額≦携帯端末電子キャッシュ）を判定する（Ｓ２０６）。
【００３８】
チャージ処理不可能であると判定した場合（入金額＞携帯端末電子キャッシュ）（Ｓ２０６、Ｎｏ）、制御部１０５は、表示部１０４に「携帯端末の残金が足りません。」などのエラー表示を行い（Ｓ２１１）、ステップ２０１へ戻る。
【００３９】
チャージ処理可能であると判定した場合（入金額≦携帯端末電子キャッシュ）（Ｓ２０６、Ｙｅｓ）、制御部１０５は、非接触ＩＣメモリ１０２から、アダプタ電子キャッシュを読取り（Ｓ２０７）、アダプタ電子キャッシュに一時記憶した入金額を加算して、加算した金額（アダプタ電子キャッシュ＋入金額）を非接触ＩＣメモリ１０２に書込む（Ｓ２０８）。また、制御部１０５は、携帯端末電子キャッシュから一時記憶した入金額を減算して、減算した金額（携帯端末電子キャッシュ−入金額）を、携帯端末２の非接触ＩＣメモリに書込む（Ｓ２０９）。
【００４０】
そして、電子決済処理依頼部１０６は、携帯端末電子キャッシュの電子決済に係るデータとアダプタ電子キャッシュの電子決済に係るデータを含む電子決済処理依頼を携帯端末２に渡し（Ｓ２１０）、携帯端末２に電子決済処理（チャージ）と電子決済処理（移転）をさせ、ステップ２０１へ戻る。
【００４１】
以上、本発明の第一の実施形態について、説明した。
【００４２】
本発明の第一の実施形態において、中継アダプタ１は、入力金額を入力され、携帯端末２にタッチされると、非接触ＩＣメモリ１０２に記憶しているアダプタ電子キャッシュと入力金額を加算した金額を非接触ＩＣメモリ１０２に書込み、さらに携帯端末２の非接触ＩＣメモリに携帯端末電子キャッシュから入力金額を減算した金額を書込む。
【００４３】
これにより、ユーザは携帯端末を取り出さずに、予め携帯端末２の非接触ＩＣメモリに記憶されていた携帯端末電子キャッシュを用いて電子決済処理を行うことが可能となる。
【実施例２】
【００４４】
以下、本発明の第二の実施形態について、図を用いて説明する。
【００４５】
図３は、本発明の第二の実施形態における中継アダプタ１Ａ，１Ｂの機能ブロック図および当該中継アダプタ１Ａ，１Ｂを含む電子決済システムの全体構成図である。
【００４６】
実施例１との違いは、携帯端末２の非接触ＩＣメモリ部分に中継アダプタ１Ｂを貼付け、ユーザが中継アダプタ１Ａを電子決済装置３にタッチすると、中継アダプタ１Ａが料金の支払いに係る電子決済処理（移転）を実行する。そして、中継アダプタ１Ａと中継アダプタ１Ｂは、近距離無線通信（近距離に存在する端末間の通信に一般的に用いられるＢｌｕｅｔｏｏｔｈ（登録商標）、ＢＬＥ（Ｂｌｕｅｔｏｏｔｈ（登録商標）  Ｌｏｗ  Ｅｎｅｒｇｙ）、Ｚｉｇｂｅｅ（登録商標）、Ｗｉｆｉ（登録商標）等：以下、近距離無線通信方式Ｂと呼称）を用い、無線通信をする。そして、電子決済装置３にタッチにすると電子決済処理（移転）した同額の料金の電子キャッシュ（以下、補填額と呼称）を携帯端末２から、中継アダプタ１Ａの非接触ＩＣタグメモリ１０２に移管する点である。
【００４７】
図示するように、中継アダプタ１Ａは、中継アダプタ１の非接触ＩＣメモリリーダ／ライタ部１０１と、電子決済処理依頼部１０６と、を削除し、かわりに、無線通信部１０７Ａと、電子決済処理部１０８と、を追加したブロックである。また、中継アダプタ１Ｂは、非接触ＩＣメモリリーダ／ライタ部１０１と、無線通信部１０７Ｂと、から構成する。
【００４８】
制御部１０５は、非接触ＩＣメモリ１０２が読取りまたは、書込みされるのを監視しており、読取りまたは、書込みを検出すると、非接触ＩＣメモリ１０２のアダプタ電子キャッシュを読取り、一時記憶する。そして、無線通信部１０７Ａに携帯端末２の電子キャッシュの読出し要求を行い、前記電子キャッシュ読出し要求における応答を受信すると、所定の処理により算出したアダプタ電子キャッシュを非接触ＩＣメモリ１０２に書込み、所定の処理により算出した携帯端末電子キャッシュの書込み要求として、無線通信部１０７Ａに渡す。さらに、前記携帯端末電子キャッシュの電子決済に係るデータと前記アダプタ電子キャッシュの電子決済に係るデータを電子決済処理部１０８に渡す。
【００４９】
電子決済処理部１０８は、制御部１０５から渡されたアダプタ電子キャッシュに係る電子決済に係るデータと携帯端末電子キャッシュに係る電子決済に係るデータを用いて、無線通信部１０７Ａを介して、電子決済事業者４と電子決済処理をする。
【００５０】
無線通信部１０７Ａは、近距離無線通信方式Ｂに係る通信全般を制御する。制御部１０５から携帯端末２の携帯端末電子キャッシュの読取り要求を渡されると、中継アダプタ１Ｂに中継して、中継アダプタ１Ｂから渡された携帯端末２の携帯端末電子キャッシュを、制御部１０５に渡し、制御部１０５から携帯端末２の携帯端末電子キャッシュの書込み要求を渡されると、中継アダプタ１Ｂに中継する。また、電子決済処理部１０８または、中継アダプタ１Ｂから電子決済処理を受信した場合は、当該電子決済処理を中継する。
【００５１】
無線通信部１０７Ｂは、近距離無線通信方式Ｂに係る通信全般を制御する。中継アダプタ１Ａから、携帯端末２の携帯端末電子キャッシュの読取り要求を渡された場合は、非接触ＩＣメモリリーダ／ライタ部１０１を介して携帯端末２の電子キャッシュを抽出して、中継アダプタ１Ａに渡し、携帯端末２の携帯端末電子キャッシュの書込み要求を渡された場合は、非接触ＩＣメモリリーダ／ライタ部１０１を介して前記書込み要求に含まれる金額を携帯端末２に書き込む。また、中継アダプタ１Ａまたは、携帯端末２から、電子決済処理を受信した場合は、当該電子決済処理を中継する。
【００５２】
次に、フローチャート図を用いて中継アダプタ１Ａ，１Ｂの具体的な処理について説明する。
【００５３】
図４（ａ）は、本発明の第二の実施形態における中継アダプタ１Ａが電子決済装置３にタッチした場合のフローチャート図である。また、本フローは、中継アダプタ１Ａの非接触ＩＣメモリ１０２に予めアダプタ電子キャッシュとして所定の金額（例えば、１万円）が書込まれている状態から開始する。
【００５４】
まず、中継アダプタ１Ａは、ユーザによって電子決済装置３にタッチされる（Ｓ４０１）、または、ユーザによって入金設定操作が為される（Ｓ４１３）の何れかの状態になるのをまつ。
【００５５】
制御部１０５は、ユーザによって電子決済装置３にタッチされると（Ｓ４０１、Ｙｅｓ）、現在のアダプタ電子キャッシュを書込前金額として一時記憶する（Ｓ４０２）。
【００５６】
そして、電子決済装置３によって、アダプタ電子キャッシュから所定の料金を減額した金額を書込まれたことを検出すると（Ｓ４０３、Ｙｅｓ）、制御部１０５は、書込み後のアダプタ電子キャッシュを読取り（Ｓ４０４）、読取った書込み後のアダプタ電子キャッシュを書込後金額として一時記憶し、一時記憶した書込前金額から書込後金額を減額して補填額を算出する（Ｓ４０５）。電子決済装置３によって、アダプタ電子キャッシュから所定の料金を減額した金額を書込まれたことを検出できない場合（Ｓ４０３、Ｎｏ）、ステップ４１３へ進む。
【００５７】
そして、制御部１０５は、携帯端末２の携帯端末電子キャッシュの読取り要求を中継アダプタ１Ｂに送信する（Ｓ４０６）。
【００５８】
中継アダプタ１Ｂから携帯端末２の携帯端末電子キャッシュの読取り要求に対する応答を受信すると（Ｓ４０７）、制御部１０５は、当該応答に含まれる携帯端末２の携帯端末電子キャッシュと補填額から補填可能か否か（補填額≦携帯端末２の携帯端末電子キャッシュ）を判定する（Ｓ４０８）。
【００５９】
補填不可と判定した場合（補填額＞携帯端末２の携帯端末電子キャッシュ）（Ｓ４０８、Ｎｏ）、制御部１０５は、表示部１０４に「携帯端末の残金が足りません。」などのエラー表示を行う（Ｓ４１２）。
【００６０】
補填可能であると判定した場合（補填額≦携帯端末２の携帯端末電子キャッシュ）（Ｓ４０８、Ｙｅｓ）、制御部１０５は、非接触ＩＣメモリ１０２に書込後金額に補填額を加算して、加算した金額を書込む（Ｓ４０９）。さらに、制御部１０５は、携帯端末２の携帯端末電子キャッシュから補填額を減算し、携帯端末２に、減算した金額（携帯端末電子キャッシュ−補填額）を、書込み要求として送信する。(Ｓ４１０）。そして、電子決済処理部１０８は、中継アダプタ１Ｂと携帯端末２を介して、電子決済事業者４と電子決済処理をして（Ｓ４１１）、ステップ４０１に戻る。
【００６１】
ユーザによって入金設定操作が為された場合（Ｓ４１３、Ｙｅｓ）、制御部１０５は、ステップ４１４〜ステップ４１５の処理を行う。ステップ４１４〜ステップ４１５の処理は、図２のステップ２０２〜ステップ２０３の処理と同じなので説明を省略する。次に制御部１０５は、携帯端末２の携帯端末電子キャッシュの読取り要求を送信して（Ｓ４１６）、携帯端末２の携帯端末電子キャッシュの読取り要求における応答を受信すると（Ｓ４１７）、当該応答に含まれる携帯端末２の携帯端末電子キャッシュと入金額から補填可能か否か（入金額≦携帯端末２の携帯端末電子キャッシュ）を判定する（Ｓ４１８）。
【００６２】
補填可能であると判定した場合（入金額≦携帯端末２の携帯端末電子キャッシュ）（Ｓ４１８、Ｙｅｓ）、非接触ＩＣメモリ１０２のアダプタ電子キャッシュを読み取り（Ｓ４１９）、アダプタ電子キャッシュと入金額を加算して、加算した金額を非接触ＩＣメモリ１０２に書込み（Ｓ４２０）、携帯端末２の携帯端末電子キャッシュから入金額を減算し、携帯端末２に、減算した金額（携帯端末電子キャッシュ−入金額）を、書込み要求として送信する（Ｓ４２１）。中継アダプタ１Ｂと携帯端末２を介して、電子決済事業者４と電子決済処理をして（Ｓ４２２）、ステップ４０１に戻る。
【００６３】
補填可能でないと判定した場合（入金額＞携帯端末２の携帯端末電子キャッシュ）（Ｓ４１８、Ｎｏ）、ステップ４１２に進む。
【００６４】
図４（ｂ）は、本発明の第二の実施形態における中継アダプタ１Ｂが中継アダプタ１Ａから通知を受けた場合のフローチャート図である。
【００６５】
中継アダプタ１Ｂは、携帯端末２の携帯端末電子キャッシュの読取り要求を受信（Ｓ４５１）、または、携帯端末２の携帯端末電子キャッシュの書込み要求を受信（Ｓ４５３）、または、電子決済処理を受信（Ｓ４５５）の何れかの状態になるのを待つ。
【００６６】
携帯端末２の携帯端末電子キャッシュの読取り要求を受信すると（Ｓ４５１、Ｙｅｓ）、携帯端末２の携帯端末電子キャッシュを読取り、中継アダプタ１Ａに、当該携帯端末２の携帯端末電子キャッシュを返す（Ｓ４５２）。携帯端末２の携帯端末電子キャッシュの書込み要求を受信すると（Ｓ４５３、Ｙｅｓ）、当該要求に含まれる金額を、携帯端末２の携帯端末電子キャッシュに書き込む（Ｓ４５４）。電子決済処理を受信すると（Ｓ４５５、Ｙｅｓ）、電子決済処理を中継する（Ｓ４５６）。
【００６７】
以上、本発明の第二の実施形態について説明した。
【００６８】
本発明の第二の実施形態において、中継アダプタ１Ｂの非接触ＩＣメモリリーダ／ライタ部１０１が携帯端末２の記憶していた携帯端末電子キャッシュを読取り、無線通信部１０７Ｂが、読取った携帯端末電子キャッシュを中継アダプタ１Ａに中継し、中継アダプタ１Ａが、渡された携帯端末電子キャッシュを非接触ＩＣメモリ１０２に書込む。そして、電子決済装置４が中継アダプタ１Ａの非接触ＩＣメモリ１０２からアダプタ電子キャッシュを読取ることにより、ユーザが携帯端末２を手に取ることができなくとも、携帯端末２の非接触ＩＣメモリに記憶されている携帯端末電子キャッシュを用いて電子決済処理を行うことが可能となる。
【００６９】
尚、本発明の第二の実施形態において、携帯端末２に中継アダプタ１Ｂを貼付け、中継アダプタ１Ｂは中継アダプタ１Ａからの指示により携帯端末２の非接触ＩＣメモリの携帯端末電子キャッシュを読取り・書込みを処理する説明をしたが本願はこれに限定されない。
【００７０】
例えば、予め近距離無線通信方式Ｂの無線通信機能をもつ携帯端末２（例えば、スマートフォン）が、中継アダプタ１Ａと直接無線通信し、中継アダプタ１Ａからの要求に応じて携帯端末２の非接触ＩＣメモリの携帯端末電子キャッシュを読取り・書込みするアプリケーションソフトをインストールするようにしてもよい。これにより、中継アダプタ１Ｂは不要となる。
【００７１】
尚、本発明の第二の実施形態において、中継アダプタ１Ａは、近距離無線通信方式Ｂの無線通信機能を具備し、常に中継アダプタ１Ｂと接続していることを前提として説明しているが本願はこれに限定されない。
【００７２】
例えば、中継アダプタ１Ａが電子決済装置３にタッチされたことをトリガーとして、無線通信部１０７Ａを起動し、近距離無線通信方式Ｂによる無線通信を開始するようにしてもよい。これにより、ウェアラブル機器である中継アダプタ１Ａの消費電力の大幅な省電力化ができる。
【符号の説明】
【００７３】
１、１Ａ、１Ｂ・・・中継アダプタ
２・・・携帯端末
３・・・電子決済装置
４・・・電子決済事業者
１０１・・・非接触ＩＣメモリリーダ／ライタ部
１０２・・・非接触ＩＣメモリ
１０３・・・キー入力部
１０４・・・表示部
１０５・・・制御部
１０６・・・電子決済処理依頼部
１０７Ａ、１０７Ｂ・・・無線通信部
１０８・・・電子決済処理部
【図１】
2016170653.tif 000003
【図２】
2016170653.tif 000004
【図３】
2016170653.tif 000005
【図４】
2016170653.tif 000006